(57)【要約】【課題】  一時保管場所の物品の状況を適切に管理し得る物品一時保管場所管理システムを提供する。【解決手段】  本発明は、本来の保管場所が定まっている物品を一時的に保管する一時保管場所に保管されている物品を管理する物品一時保管場所管理システムである。本発明は、一時保管場所に保管されている物品のそれぞれに設けられている非接触ＩＤタグをアクセスするタグアクセス手段と、一時保管場所に保管されている物品のデータを記憶している一時保管場所物品データベース手段と、タグアクセス手段を駆動制御して、一時保管場所に保管されている物品のデータを収集して、一時保管場所物品データベース手段を更新する一時保管場所物品管理手段とを有することを特徴とする。【選択図】      図１
2006131377.tif 000002
【特許請求の範囲】
【請求項１】
本来の保管場所が定まっている物品を一時的に保管する一時保管場所に保管されている物品を管理する物品一時保管場所管理システムであって、
上記一時保管場所に保管されている物品のそれぞれに設けられている非接触ＩＤタグにアクセスするタグアクセス手段と、
上記一時保管場所に保管されている物品のデータを記憶している一時保管場所物品データベース手段と、
上記タグアクセス手段を駆動制御して、上記一時保管場所に保管されている物品のデータを収集して、上記一時保管場所物品データベース手段を更新する一時保管場所物品管理手段と
を有することを特徴とする物品一時保管場所管理システム。
【請求項２】
上記一時保管場所は、貸し出されていた物品が返却された後の一時保管場所であり、
貸出し中の物品のデータを記憶している貸出し中データベース手段をさらに備え、
上記一時保管場所物品管理手段は、上記タグアクセス手段から得た物品のデータが、上記貸出し中データベース手段に記述されているときには、その物品が返却されたとして貸出し中データベース手段を更新する
ことを特徴とする請求項１に記載の物品一時保管場所管理システム。
【請求項３】
上記一時保管場所は、貸し出されていた物品が返却された後の一時保管場所であり、
物品の貸出し希望者が目視し得る位置に設けられた表示手段をさらに備え、
上記一時保管場所物品管理手段は、上記タグアクセス手段からデータが収集された上記一時保管場所に保管されている物品の情報を、上記表示手段によって表示させる
ことを特徴とする請求項１又は２に記載の物品一時保管場所管理システム。
【発明の詳細な説明】
【技術分野】
【０００１】
本発明は物品一時保管場所管理システムに関し、例えば、レンタルビデオ店や図書館などで返却物品を正規の保管場所に戻すまでに返却物品を一時的に保管しておく場所での保管状態を管理する場合に適用し得るものである。
【背景技術】
【０００２】
例えば、ビデオテープ、ＣＤ（コンパクトディスク）、ＤＶＤ（デジタル多用途ディスク）などの物品をレンタルするレンタルショップにおいては、物品が返却された際には、店員は、情報処理装置などに返却された旨を入力操作した後、一時的な保管場所（例えば棚）に保管し、その後、正規の保管場所に移動する。このような一時保管場所に返却物品を一時的に保管することにより、人気の物品の返却の事実をユーザが認識し易くすると共に、正規の保管場所への移動作業を効率的なものとするようにしている。
【０００３】
一般的には、物品又はその収容ケースなど（以下、単に物品と呼ぶ）に、バーコードラベルや非接触ＩＤタグなどが貼付されており、店員は、情報処理装置に接続されているバーコードリーダーやタグリーダーなどによって、物品を特定する情報を入力する。
【０００４】
ところで、バーコードラベルや非接触ＩＤタグを利用して物品を管理するシステムは種々提案されているが（特許文献１参照）、一時保管場所を対象としたものは存在しない。
【特許文献１】特開平１０−３３４１９８号公報
【発明の開示】
【発明が解決しようとする課題】
【０００５】
ところで、一時保管場所があっても、物品返却時の入力操作によって、情報処理装置又はその上位の装置は、その物品の情報を、正規の保管位置に保管されている状態にする。このような管理方法では、物品が正規の保管場所に移動される前の一時保管場所に保管されている期間では、管理情報上の保管場所と、実際の保管場所とが異なってしまう。
【０００６】
このような不都合を回避しようとすると、一時保管場所も、他の保管場所と同様に扱い、物品の返却時には、その物品の保管場所として一時保管場所を入力し、一時保管場所から正規保管場所の移動時には、保管場所として正規の保管場所に入力し直すことを行う。このような方法であると、店員の作業負担が大きくなる。
【０００７】
また、一時保管場所にユーザが希望する物品が保管されていても、ユーザは気が付かない恐れも高く、店員がユーザから問い合わせを受けても、その物品が一時保管場所に存在していることを教えられない恐れも高い。
【０００８】
そのため、一時保管場所の物品の状況を適切に管理し得る物品一時保管場所管理システムが望まれている。
【課題を解決するための手段】
【０００９】
かかる課題を解決するために、請求項１の本発明の物品一時保管場所管理システムは、本来の保管場所が定まっている物品を一時的に保管する一時保管場所に保管されている物品を管理するシステムであって、（１）上記一時保管場所に保管されている物品のそれぞれに設けられている非接触ＩＤタグにアクセスするタグアクセス手段と、（２）上記一時保管場所に保管されている物品のデータを記憶している一時保管場所物品データベース手段と、（３）上記タグアクセス手段を駆動制御して、上記一時保管場所に保管されている物品のデータを収集して、上記一時保管場所物品データベース手段を更新する一時保管場所物品管理手段とを有することを特徴とする。
【００１０】
請求項２の本発明の物品一時保管場所管理システムは、請求項１において、上記一時保管場所は、貸し出されていた物品が返却された後の一時保管場所であり、貸出し中の物品のデータを記憶している貸出し中データベース手段をさらに備え、上記一時保管場所物品管理手段は、上記タグアクセス手段から得た物品のデータが、上記貸出し中データベース手段に記述されているときには、その物品が返却されたとして貸出し中データベース手段を更新することを特徴とする。
【００１１】
請求項３の本発明の物品一時保管場所管理システムは、請求項１又は２において、上記一時保管場所は、貸し出されていた物品が返却された後の一時保管場所であり、物品の貸出し希望者が目視し得る位置に設けられた表示手段をさらに備え、上記一時保管場所物品管理手段は、上記タグアクセス手段からデータが収集された上記一時保管場所に保管されている物品の情報を、上記表示手段によって表示させることを特徴とする。
【発明の効果】
【００１２】
本発明の物品一時保管場所管理システムによれば、一時保管場所の物品に設けられている非接触ＩＤタグからデータを収集するようにしたので、一時保管場所の物品の状況を適切に管理することができる。
【発明を実施するための最良の形態】
【００１３】
（Ａ）第１の実施形態
以下、本発明に係る物品一時保管場所管理システムの第１の実施形態を、図面を参照しながら詳述する。なお、この実施形態の物品一時保管場所管理システムは、例えば、ビデオテープ、ＣＤ、ＤＶＤなどの物品を取り扱うレンタルショップに設けられているとして説明する。
【００１４】
図１は、この実施形態の物品一時保管場所管理システムの全体構成を示す説明図である。図１において、この実施形態の物品一時保管場所管理システム１は、管理コンピュータ２、タグリーダー・ライタ３、ループアンテナシステム４（４−１〜４−４）、一時保管棚５及び一時保管棚情報表示装置８を有する。
【００１５】
一時保管場所としての一時保管棚５は、レンタルされていた物品６が返却された際に、その返却物品６を一時的に保管する棚である。
【００１６】
一時保管棚５に保管可能な物品６は、ビデオテープ、ＣＤ、ＤＶＤなどの一種類の物品であっても良く、複数種類の物品であっても良い。物品６に対しては、図２に示すように、表面（例えば、背面）に非接触ＩＤタグ７が設けられている。なお、図示は省略するが、非接触ＩＤタグ７はアンテナコイルを有するものである。非接触ＩＤタグ７はＩＣを搭載しているものであっても良く、ＩＣを搭載していないものであっても良い。また、非接触ＩＤタグ７の表面にはバーコードなどが印刷されていても良い。なお、物品６はビデオテープ、ＣＤ、ＤＶＤなどを収容するケースであっても良い。
【００１７】
管理コンピュータ２は、貸出し中の物品の情報を管理するものである。また、管理コンピュータ２は、一時保管棚５上の返却物品６の情報を管理するものであり、タグリーダー・ライタ３を介して一時保管棚５に陳列されている返却物品６に設けられた非接触ＩＤタグ７にアクセスし、そのデータを収集したり、任意のデータ（例えば、一時保管棚５で保管する期限のデータ）を書き込んだりするものである。さらに、管理コンピュータ２は、一時保管棚情報表示装置８に、一時保管棚５が保管している返却物品６の情報を表示させるものである。
【００１８】
タグリーダー・ライタ３は、例えば、一時保管棚５の基台５Ａの内部空間内に設けられている。このタグリーダー・ライタ３のアンテナ部分として、ループアンテナシステム４−１〜４−４が設けられており、タグリーダー・ライタ３は、例えば、管理コンピュータ２の制御下で、ループアンテナシステム４−１〜４−４を読取り駆動して一時保管棚５に陳列されている物品６のデータを読み取ったり、ループアンテナシステム４−１〜４−４を書込み駆動して一時保管棚５に陳列されている所定の物品６にデータを書き込んだりするものである。
【００１９】
各ループアンテナシステム４−１、…、４−４は、例えば、基台５Ａの棚板５ａや中間位置の棚板５ｂ（例えば、その下面部）にそれぞれ設けられているものであり（なお、天井板５ｃに設けられていても良い）、自己が担当する棚板上の物品６に取り付けられている非接触ＩＤタグ７（図２参照）との電磁結合による通信を実行するものである。各ループアンテナシステム４−１、…、４−４とタグリーダー・ライタ３との接続線は、例えば、一時保管棚５の一方の側板５ｄに敷設されている。各ループアンテナシステム４−１、…、４−４としては、特開２００３−１６８９１４号公報に記載のものや、特願２００４−１６１５４６号明細書及び図面に記載のものを適用することができる。
【００２０】
一時保管棚情報表示装置８は、例えば、液晶ディスプレイでなり、管理コンピュータ２の制御下で、一時保管棚５に存在する物品６の情報を表示して、レンタルビデオ店のユーザにその情報を提示するものである。一時保管棚情報表示装置８は、例えば、一時保管棚５の近傍位置に設置されたものであっても良く、また、レンタルビデオ店の出入り口近傍に設置されたものであっても良い。複数の一時保管棚情報表示装置８が、異なる場所に設けられていても良い。
【００２１】
管理コンピュータ２は、例えば、ＣＰＵがソフトウェアに従って処理を実行するパソコンレベルのコンピュータであり、図３に示すような周辺装置（内蔵していても良い）が付加されているものである。なお、図３では省略しているが、管理コンピュータ２に、タグリーダー・ライタ３や一時保管棚情報表示装置８などの外部装置が接続されているのは、上述した通りである。管理コンピュータ２は、操作入力装置（キーボードやマウス装置）１０、ディスプレイ１１、データベース装置１２、プリンタ１３、タグリーダー・ライタ１４及び金銭処理機１５などが接続されている。
【００２２】
データベース装置１２は、例えば、ＨＤＤなどでなり、各種のデータベースを記憶している。データベース装置１２は、例えば、物品６の物品マスタデータベース１２ａや、貸出し中の物品６のデータベース１２ｂや、一時保管棚５に現存する物品６の一時保管棚データベース１２ｃや、会計データベース１２ｄなどを有する。
【００２３】
プリンタ１３は、管理コンピュータ２の指示下で印刷を実行するものであり、例えば、貸出し物品と一緒に引き渡す貸出し帳票を印刷する。貸出し帳票には、物品識別情報や返却期限などが印刷される。
【００２４】
管理コンピュータ２の周辺装置としてのタグリーダー・ライタ１４は、貸出しのためにユーザから持ち込まれた物品６のＩＤタグ７を個別にアクセスするものである。一時保管棚５に設けられているタグリーダー・ライタ３は、多数枚（例えば１００枚）のＩＤタグ７の同時読取りに対応できるものであるが、タグリーダー・ライタ１４は、１枚のＩＤタグ７を個別にアクセスできるものを適用しても良い。
【００２５】
金銭処理機１５は、例えば、いわゆるレジスタ装置が該当し、貸出しの対価や期限超過対価の入金や釣り銭の排出などを行うものである。
【００２６】
図４（Ａ）は、物品マスタデータベース１２ａのレコード構成例を示すものであり、図４（Ｂ）は、貸出し中物品データベース１２ｂのレコード構成例を示すものであり、図４（Ｃ）は、一時保管棚データベース１２ｃのレコード構成例を示すものである。なお、会計データベース１２ｄのレコード構成の図示は省略している。
【００２７】
物品マスタデータベース１２ａは、物品管理のマスタとしてのデータベースに相当し、その１レコードは、物品の識別情報（物品の種類、タイトル、同一タイトルでの通し番号など）、物品の第１のレンタル価値情報（新作か否かなどに応じたレベル情報）、物品の第２のレンタル価値情報（最近１ヶ月あたりの貸出し回数などに応じたレベル情報）、正規の保管場所の情報、レンタル条件（金額、期限情報、成人指定など）、現況情報などの情報を含んでいる。現況情報は、正規の保管棚にある「正規保管」、一時保管棚５にある「一時保管」、貸出し中を表す「貸出し中」、上述の３種類に該当しない、ユーザなどが携帯して移動中の期間なような「タイムラグ期間」に分かれている。ここで、「タイムラグ期間」には、後述する「タイムラグ期間（１）」と「タイムラグ期間（２）」とがある。なお、この実施形態の場合、通常の保管棚（一時保管棚５との関係からこのように呼ぶ）には、ループアンテナシステムが設けられていない場合を想定しており（但し、設けられていても良い）、正規の保管場所の情報は、例えば、操作入力装置１０から入力されるものである。物品マスタデータベース１２ａの１レコードの情報は、現況情報などの情報を除けば、ＩＤタグ７に書き込まれている情報とほぼ同様である。
【００２８】
貸出し中物品データベース１２ｂの１レコードは、貸出し中の物品６の識別情報、返却期限、レンタル条件などの情報を含んでいる。
【００２９】
一時保管棚データベース１２ｃの１レコードは、一時保管棚５に保管されている物品６の識別情報、返却認識日時、正規の保管場所の情報などの情報を含んでいる。
【００３０】
次に、第１の実施形態の物品一時保管場所管理システムの動作について説明する。第１の実施形態の物品一時保管場所管理システムの動作としては、（１）物品の貸出し動作、（２）貸出し物品の返却時動作、（３）一時保管棚５の監視動作などがあり、管理コンピュータ２が、内蔵する実行用のプログラムに従って、各種の動作を実行制御する。
【００３１】
まず、物品６の貸出し動作を、図５のフローチャートを参照しながら説明する。なお、ユーザは、レンタルする物品６を、通常保管棚から取り出す場合もあれば一時保管棚５から取り出す場合もあるが、システムとしては、区別することなく、図５のフローチャートのように動作する。
【００３２】
ユーザがレンタルする物品６を店員に渡すと、操作入力装置１０を介して、管理コンピュータ２に貸出し動作モードを指示し、これにより、管理コンピュータ２は、図５に示す貸出し動作プログラム２ａを開始する。
【００３３】
管理コンピュータ２は、ディスプレイ１１に物品６に貼付のＩＤタグ７を読み取ることを求めるメッセージを表示させ、それに応じて、店員がタグリーダー・ライタ１４を用いてその物品６のＩＤタグ７から読み取らせた情報を取り込む（ステップ１００）。
【００３４】
その後、ＩＤタグ７から得られた物品の識別情報に基づいて、物品マスタデータベース１２ａに格納されている情報を抽出する（ステップ１０１）。そして、管理コンピュータ２は、抽出された情報の中のレンタル条件などで定まる貸出し金額を、ディスプレイ１１に表示させて（ステップ１０２）、これに応じて、店員がユーザから取り込んで金銭処理機１５に入金したことを確認する（ステップ１０３）。管理コンピュータ２は、今回の金銭の移動（入金）に応じて、会計データベース１２ｄを更新する（ステップ１０４）。
【００３５】
次に、管理コンピュータ２は、物品マスタデータベース１２ａから抽出された貸出し物品に係る情報の中の現況情報が、「正規保管」になっているか、「一時保管」や「タイムラグ期間」になっているかを判別する（ステップ１０５）。
【００３６】
管理コンピュータ２は、現況情報が「一時保管」又は「タイムラグ期間」になっていると、一時保管棚データベース１２ｃの該当する物品のレコードを消去すると共に、一時保管棚情報表示装置８による表示物品からも今回の貸出し物品を消去する（ステップ１０６）。
【００３７】
このような消去動作が終わった場合や現況情報が「正規保管」になっている場合には、貸出し中物品データベース１２ｂに今回の貸出し物品６に係るレコードを設定し（ステップ１０７）、また、物品マスタデータベース１２ａの現況情報を「貸出し中」に設定したり、貸出回数などを更新したりする（ステップ１０８）。
【００３８】
最後に、管理コンピュータ２は、プリンタ１３から貸出し帳票を印刷させて一連の貸出し動作を終了する（ステップ１０９）。
【００３９】
次に、貸出し物品の返却時動作を説明する。  なお、期限超過貸出し物品の返却時動作については、図６のフローチャートを参照しながら説明する。
【００４０】
ユーザから貸出し物品６の返却を受け付けた店員は、その貸出し物品６に係る貸し出し帳票を確認して返却期限を越えているか否かを判別し、返却期限を越えていなければその貸出し物品６を直ちに一時保管棚５に載置し、一方、返却期限を越えていれば、操作入力装置１０を介して、管理コンピュータ２に追加対価徴収モードを指示し、これにより、管理コンピュータ２は、図６に示す期限超過貸出し物品の返却時動作プログラム２ｂを開始する。
【００４１】
期限超過貸出し物品の返却時動作プログラム２ｂを開始するとまず、管理コンピュータ２は、ディスプレイ１１に貸出し物品６に貼付のＩＤタグ７を読み取ることを求めるメッセージを表示させ、それに応じて、店員がタグリーダー・ライタ１４を用いてその物品６のＩＤタグ７から読み取らせた情報を取り込む（ステップ２００）。
【００４２】
その後、ＩＤタグ７から得られた物品の識別情報に基づいて、貸出し中物品データベース１２ｂに格納されている情報を抽出し（ステップ２０１）、抽出された情報の中のレンタル条件などで定まる追加金額を、ディスプレイ１１に表示させて（ステップ２０２）、これに応じて、店員がユーザから取り込んで金銭処理機１５に入金したことを確認する（ステップ２０３）。
【００４３】
管理コンピュータ２は、今回の金銭の移動（追加入金）に応じて、会計データベース１２ｄを更新する（ステップ２０４）。また、管理コンピュータ２は、貸出し中物品データベース１２ｂから該当する物品のレコードを消去する（ステップ２０５）。その後、管理コンピュータ２は、一時保管棚データベース１２ｃに、今回、返却された貸出し物品のレコードを設定すると共に、一時保管棚情報表示装置８による表示物品にも、今回、返却された貸出し物品を追加する（ステップ２０６）。最後に、物品マスタデータベース１２ａの現況情報を「タイムラグ期間（１）」に設定して一連の期限超過貸出し物品の返却時動作を終了する（ステップ２０７）。ここでは、一時保管棚５に物品が存在しないため、「一時保管」ではなく、「タイムラグ期間（１）」に設定することとした。
【００４４】
店員は、このような動作の終了後に、返却された貸出し物品６を一時保管棚５に載置することになる。
【００４５】
なお、上記説明では貸出し物品６の返却の際、店員が貸出し帳票により返却期間の超過の有無を確認したが、タグリーダー・ライタ１４によりＩＤタグ７からデータを読み取り、読み取ったデータを貸出し中物品データベース１２ｂと参照することで、貸出し物品６の返却期間の超過の有無をディスプレイ１１に表示させ、超過していなければ貸出し物品６を一時保管棚５に載置し、返却期間を超えていれば期限超過貸出し物品として、操作入力装置１０を介して、管理コンピュータ２に追加対価徴収モードを指示し、これにより管理コンピュータ２は、図６に示す期限超過貸出し物品の返却時動作プログラム２ｂを開始することもできる。
【００４６】
次に、定期的に実行される一時保管棚５の監視動作を、図７のフローチャートを参照しながら説明する。
【００４７】
管理コンピュータ２は、内蔵するタイマの計時に基づいて、定期的に（例えば、１０秒毎に）、監視動作プログラム２ｃを起動する。なお、起動しようとした際（タイマによる割込発生時）に、貸出し動作プログラム２ａ又は期限超過貸出し物品の返却時動作プログラム２ｂの実行中であれば、その実行中のプログラムの終了を待って監視動作プログラム２ｃを起動する。
【００４８】
管理コンピュータ２は、監視動作プログラム２ｃを起動するとまず、タグリーダー・ライタ３を読み出し駆動して、一時保管棚５に存在する全ての物品６のＩＤタグ７からデータを収集してバッファリングし（ステップ３００）、一時保管棚データベース１２ｃ及び物品マスタデータベース１２ａの格納内容と照合し（ステップ３０１）、照合結果を４分類に分類する（ステップ３０２）。すなわち、バッファリングした収集データにも一時保管棚データベース１２ｃにも存在する物品６（第１分類）、バッファリングした収集データには存在するが一時保管棚データベース１２ｃには存在しない一時保管棚５に新たに追加された物品（第２分類）、バッファリングした収集データには存在しないが一時保管棚データベース１２ｃには存在する一時保管棚５から新たになくなった物品（第３分類）、バッファリングした収集データにも一時保管棚データベース１２ｃにも存在しないが、物品マスタデータベース１２ａにタイムラグ期間（１）、タイムラグ期間（２）の状態で存在する物品（第４分類）に分類する。
【００４９】
管理コンピュータ２は、バッファリングした収集データにも一時保管棚データベース１２ｃにも存在する物品６（第１分類）については、その物品の中に、物品マスタデータベース１２ａの現況情報が「タイムラグ期間（１）」になっている物品が存在するか否かを確認し（ステップ３０３）、存在するならば、現況情報を「一時保管」に更新すると共に、一時保管棚データベース１２ｃの返却認識日時に今回の定期処理の起動時の時刻を書き込む（ステップ３０４）。このような現況情報が「タイムラグ期間（１）」になっている物品は、期限が超過して返却された貸出し物品であり、上述した期限超過貸出し物品の返却時動作が終了し、一時保管棚５に載置された直後の物品である。なお、図７では省略しているが、バッファリングした収集データにも一時保管棚データベース１２ｃにも存在する物品６の中に現況情報が「貸出し中」や「正規保管」や「タイムラグ期間（２）」になっている物品があれば、ディスプレイ１１を用いてその物品についての異常表示を行う。バッファリングした収集データにも一時保管棚データベース１２ｃにも存在する物品６については、基本的には、現況状況は「一時保管」である。
【００５０】
また、管理コンピュータ２は、バッファリングした収集データには存在するが一時保管棚データベース１２ｃには存在しない一時保管棚５に新たに追加された物品（第２分類）があれば、それら各物品について、物品マスタデータベース１２ａの現況情報が「貸出し中」になっていることを確認した上で、現況情報を「一時保管」に更新すると共に、一時保管棚データベース１２ｃに該当する物品のレコードを設定した上で、その返却認識日時に今回の定期処理の起動時の時刻を書き込む（ステップ３０５）。上述したように、返却期限を守って返却された貸出し物品は直ちに一時保管棚５に載置されるので、載置直後のこのような物品は、バッファリングした収集データには存在するが一時保管棚データベース１２ｃには存在しない物品となる。なお、図７では省略しているが、バッファリングした収集データには存在するが一時保管棚データベース１２ｃには存在しない物品の中で現況情報が「貸出し中」になっていることを確認できない物品に対しては、ディスプレイ１１を用いて異常表示を行う。
【００５１】
さらに、管理コンピュータ２は、バッファリングした収集データには存在しないが一時保管棚データベース１２ｃには存在する物品（第３分類）があれば、一時保管棚データベース１２ｃから該当する物品のレコードを消去し（ステップ３０６）、その後、物品マスタデータベース１２ａの現況情報に応じて、データベースや情報の更新処理などを行う（ステップ３０７−１〜３０７−３）。
【００５２】
バッファリングした収集データには存在しないが一時保管棚データベース１２ｃには存在する物品は、最近、一時保管棚５から取り出されていった物品であり、その取り出された理由は、貸出しのためか、正規の保管場所（通常保管棚）への移動のためである。貸出しのためかは、貸出し動作がなされた時点で分かるが、正規の保管場所（通常保管棚）への移動のためかは通常保管棚にループアンテナシステムが設けられていないので直接には分からない。そこで、一時保管棚５から取り出されていったときから、ある程度の時間が経過しても貸出し動作がなされない場合を、正規の保管場所（通常保管棚）への移動と見なすこととした。このような処理を実現すべく、ステップ３０７での更新処理を行う。具体的には、以下の通りである。
【００５３】
物品マスタデータベース１２ａの現況情報が「一時保管」であれば、それを「タイムラグ期間（１）」に更新させる（ステップ３０７−１）。また、物品マスタデータベース１２ａの現況情報が「タイムラグ期間（１）」であれば、それを「タイムラグ期間（２）」に更新させる（ステップ３０７−２）。さらに、物品マスタデータベース１２ａの現況情報が「タイムラグ期間（２）」であれば、それを「正規保管」に更新させる（ステップ３０７−３）。バッファリングした収集データにも一時保管棚データベース１２ｃにも存在しないが、物品マスターベース１２ａにタイムラグ期間（１）、タイムラグ期間（２）の状態で存在する物品は、上記第３分類の処理において、一時保管棚データベースより削除された物品である。この場合、貸し出しのためか、正規保管場所への移動のために一時保管棚データベースより削除された訳であり、これらの物品は以下のように処理を行う。物品マスタデータベース１２ａの現況情報がタイムラグ期間（１）の場合はタイムラグ期間（２）へ更新させ（ステップ３０８−１）、物品マスタデータベースの現況状況がタイムラグ期間（２）の場合は正規保管に更新させる（ステップ３０８−２）。
【００５４】
このような更新処理により、一時保管棚５から物品が取り出されて通常保管棚に移動されたと考えられる場合には、定期的な監視動作プログラム２ｃの繰り返しての実行により、「タイムラグ期間（１）」、「タイムラグ期間（２）」を経て「正規保管」に現況情報が更新され、監視動作プログラム２ｃの３回の繰り返し実行が必要であり、一時保管棚５から取り出しての貸出しと区別付くようになされている。なお、貸出し時であれば、現況情報が「正規保管」になるのに要する期間経過の前に、上述した図５に示す貸出し動作プログラム２ａが実行されることになる。
【００５５】
ステップ３０８−１〜３０８−２を実行した後は、管理コンピュータ２は、一時保管棚５に存在する全ての物品６のＩＤタグ７から収集してバッファリングしているデータを整理して、全ての一時保管物品を含む表示画像を形成し、一時保管棚情報表示装置８による表示を更新させ、一連の監視動作を終了する（ステップ３０９）。
【００５６】
ここで、一時保管棚情報表示装置８は、全ての一時保管物品を含む表示画像を継続して表示する。なお、一時保管棚情報表示装置８の表示面積によっては、管理コンピュータ２は、表示画像を一部ずつスクロール表示させるようにする。また、管理コンピュータ２は、待機時には、周辺機器としてのディスプレイ１１にも、一時保管棚情報表示装置８と同様な表示画像を表示するようにしても良い。
【００５７】
管理コンピュータ２は、表示画像フラグを管理し、ステップ３０９の処理時の表示画像フラグが「１」であれば、物品マスタデータベース１２ａにおける物品の第１のレンタル価値情報に基づいて、第１のレンタル価値（新作か否かなど）に応じて物品をソーティングしている表示画像を形成した後、表示画像フラグを「０」に更新し、ステップ３０９の処理時の表示画像フラグが「０」であれば、物品マスタデータベース１２ａにおける物品の第２のレンタル価値情報を基づいて、第２のレンタル価値（最近１ヶ月での貸出回数など）に応じて物品をソーティングしている表示画像を形成した後、表示画像フラグを「１」に更新し、定期処理毎に、表示態様を変更するようにしても良い。なお、一時保管棚データベース１２ｃの返却認識日時に基づいて物品をソーティングした表示画像をも表示対象とするようにしても良い。
【００５８】
上記第１の実施形態によれば、一時保管棚５に、タグリーダー・ライタ３のアンテナとしてのループアンテナシステム４−１〜４−４を設け、管理コンピュータ２がタグリーダー・ライタ３を駆動制御し得るようにしたので、一時保管棚５に存在する物品６の情報を管理コンピュータ２が管理することができる。
【００５９】
また、上記第１の実施形態によれば、貸出し期限を守って返却された貸出し物品については、取り立てての返却動作を行うことなく、一時保管棚５に返却物品を載置するだけで、自動的に返却動作が実行され、店員の作業負担を軽減することができる。
【００６０】
さらに、上記第１の実施形態によれば、一時保管棚５に存在する物品の情報を一時保管棚情報表示装置８によってユーザに提供するようにしたので、通常保管棚には存在しないが一時保管棚に存在する物品をユーザが容易に認識することができ、所望するレンタル物品の探索を一段と容易に実行できる。
【００６１】
（Ｂ）第２の実施形態
次に、本発明に係る物品一時保管場所管理システムの第２の実施形態を、第１の実施形態との相違点を中心に説明する。
【００６２】
第２の実施形態の物品一時保管場所管理システムのハードウェア構成は、第１の実施形態と同様である。また、第２の実施形態の物品一時保管場所管理システムにおける、物品の貸出し動作（図５参照）及び期限超過貸出し物品の返却時動作（図６参照）は第１の実施形態と同様である。
【００６３】
しかしながら、第２の実施形態の物品一時保管場所管理システムにおける一時保管棚５の監視動作は第１の実施形態のものと異なっており、以下では、図８を参照しながら、一時保管棚５の監視動作を説明する。
【００６４】
第１の実施形態の場合、「タイムラグ期間（１）」及び「タイムラグ期間（２）」はそれぞれ、基本的には、「一時保管」から、図７に示す監視動作が何回繰り返されたかを示すものであった。しかし、この第２の実施形態では異なる定義を行っている。すなわち、第２の実施形態の場合、「タイムラグ期間（１）」は、図５に示す窓口での返却動作終了後、一時保管棚５に収容されるまでの状態を表し、「タイムラグ期間（２）」は、一時保管棚５に登録された状態から、一時保管棚５で検出されなくなった状態を表す。
【００６５】
管理コンピュータ２は、内蔵するタイマの計時に基づいて、定期的に、第２の実施形態での監視動作プログラム２ｃを起動する。
【００６６】
管理コンピュータ２は、第２の実施形態の監視動作プログラム２ｃを起動するとまず、タグリーダー・ライタ３を読み出し駆動して、一時保管棚５に存在する全ての物品６のＩＤタグ７からデータを収集してバッファリングし（ステップ４００）、一時保管棚データベース１２ｃの格納内容と照合し（ステップ４０１）、第１の実施形態の第１分類、第２分類、第３分類の照合結果を３分類に分類する（ステップ４０２）。
【００６７】
管理コンピュータ２は、バッファリングした収集データにも一時保管棚データベース１２ｃにも存在する物品６については、その物品の中に、物品マスタデータベース１２ａの現況情報が「タイムラグ期間（１）」になっている物品が存在するか否かを確認し（ステップ４０３）、存在するならば、現況情報を「一時保管」に更新すると共に、一時保管棚データベース１２ｃの返却認識日時に今回の定期処理の起動時の時刻を書き込む（ステップ４０４）。このような現況情報が「タイムラグ期間（１）」になっている物品は、期限が超過して返却された貸出し物品であり、上述した期限超過貸出し物品の返却時動作が終了し、一時保管棚５に載置された直後の物品である。なお、図８では省略しているが、バッファリングした収集データにも一時保管棚データベース１２ｃにも存在する物品６の中に現況情報が「貸出し中」や「正規保管」や「タイムラグ期間（２）」になっている物品があれば、ディスプレイ１１を用いてその物品についての異常表示を行う。バッファリングした収集データにも一時保管棚データベース１２ｃにも存在する物品６については、基本的には、現況状況は「一時保管」である。
【００６８】
また、管理コンピュータ２は、バッファリングした収集データには存在するが一時保管棚データベース１２ｃには存在しない一時保管棚５に新たに追加された物品があれば、それら各物品について、物品マスタデータベース１２ａの現況情報が「貸出し中」になっていることを確認した上で、現況情報を「一時保管」に更新すると共に、一時保管棚データベース１２ｃに該当する物品のレコードを設定した上で、その返却認識日時に今回の定期処理の起動時の時刻を書き込む（ステップ４０５）。上述したように、返却期限を守って返却された貸出し物品は直ちに一時保管棚５に載置されるので、載置直後のこのような物品は、バッファリングした収集データには存在するが一時保管棚データベース１２ｃには存在しない物品となる。なお、図８では省略しているが、バッファリングした収集データには存在するが一時保管棚データベース１２ｃには存在しない物品の中で現況情報が「貸出し中」になっていることを確認できない物品に対しては、ディスプレイ１１を用いて異常表示を行う。
【００６９】
さらに、管理コンピュータ２は、バッファリングした収集データには存在しないが一時保管棚データベース１２ｃには存在する物品について、物品マスタデータベース１２ａの現況状況に応じて、以下の処理を行う。
【００７０】
バッファリングした収集データには存在しないが一時保管棚データベース１２ｃには存在する物品は、貸し出しのためか、返却動作終了直後で一時保管棚５に移されていないためか、正規の保管場所（通常保管棚）への移動のためか、のいずれかの状態にある。貸し出しのためかは、貸し出し動作がなされた時点で分かるが、正規保管場所（通常保管棚）への移動のためかは、通常保管棚にループアンテナシステムが設けられていないので、直接には分からない。そこで、第２の実施形態では、一度でも一時保管棚５で検出された後に物品が取り出されて、一時保管棚５で検出されなくなった（収集データに存在しない）場合に、ある程度の時間が経過しても貸し出し動作がなされない場合を、正規の保管場所（通常保管棚）への移動と見なすこととした。このような処理を実現すべく、ステップ４０６〜４０７での更新処理を行う。具体的には、以下の通りである。
【００７１】
物品マスタデータベース１２ａの現況状況が「一時保管」であれば、それを「タイムラグ期間（２）」に更新させる（ステップ４０６−１）。また、物品マスタデータベース１２ａの現況情報が「タイムラグ期間（１）」の場合は、返却時動作終了直後と考えられるため、その状態を保持する（ステップ４０６−２）。この場合、「タイムラグ期間（１）」の状態が何回連続しているかをカウントし、ある一定回数連続した場合は、警告表示を行う（ステップ４０７）。このような処理を行うことにより、「タイムラグ期間（１）」のまま、長時間一時保管棚５に移されていないか、一時保管棚５で検出されることなく、正規保管場所に移動された場合にも対応が可能となる。
【００７２】
次に、物品マスタデータベース１２ａの現況情報が「タイムラグ期間（２）」であれば、それを「正規保管」に更新させ（ステップ４０６−３）、物品のレコードを一時保管棚データベース１２ｃより消去する（ステップ４０８）。この際に、連続して「タイムラグ期間（２）」にある状態をカウントし、連続して「タイムラグ期間（２）」にある状態の回数ｎ（任意の回数）以上の場合に「正規保管」に更新させても良い。
【００７３】
その後、管理コンピュータ２は、一時保管棚５に存在する全ての物品６のＩＤタグ７から収集してバッファリングしているデータを整理して、全ての一時保管物品を含む表示画像を形成し、一時保管棚情報表示装置８による表示を更新させ、一連の監視動作を終了する（ステップ４０９）。
【００７４】
第２の実施形態によっても、第１の実施形態と同様な効果を奏することができる。
【００７５】
（Ｃ）他の実施形態
上記各実施形態の説明でも種々変形実施形態に言及したが、さらに、以下に例示するような変形実施形態を挙げることができる。
【００７６】
上記各実施形態では、一時保管棚５に返却物品が存在することを表示するものであったが、一時保管棚５のどの位置（一時保管棚が複数ある場合にはどの棚）にあるかをも表示するようにしても良い。
【００７７】
また、上記各実施形態においては、一時保管棚５が固定設置のものを示したが、基台にキャスターなどがついて移動可能な物であっても良い。この場合に、移動可能な一時保管棚５に搭載されているタグリーダー・ライタ３と、管理コンピュータ２とのそれぞれに、無線通信用のアダプタ装置を設けるようにすれば良い。また、一時保管場所は、棚構成のものに限定されないことは勿論である。移動可能なものであれば、ワゴン構成を挙げることができる。
【００７８】
さらに、上記各実施形態では、管理コンピュータ２が、一時保管棚５上の物品の情報を管理するものを示したが、管理機能を省略し、一時保管棚５上の物品の情報を単に表示出力するようにシステムを構成しても良い。
【００７９】
さらにまた、上記各実施形態では、一時保管棚５上の物品の情報を表示出力するものを示したが、印刷出力したり発音出力したりしても良いことは勿論である。例えば、特定（例えば、最新作）の物品について発音出力することを物品マスタデータベースに記述しておき、一時保管棚に存在することを最初に認識したときに、レンタルショップのスピーカを用いて、「（タイトル）が返却され、一時保管棚にございますので、ご連絡いたします。」というメッセージを発音出力するようにしても良い。
【００８０】
上記各実施形態では、一時保管棚５上の物品一覧の表示形態を、システムが自動的に変更するものを示したが、ユーザが変更指示し得るようにしても良い。例えば、一時保管棚情報表示装置８の近傍に、表示形態の切替用のプッシュスイッチを設け、そのプッシュスイッチの押下情報を管理コンピュータ２に入力できるようにしておき、プッシュスイッチが押下される毎に、管理コンピュータ２が、複数の表示形態の間を巡回的に変更させるようにしても良い。一時保管棚５上の物品一覧の表示における表示項目は限定されるものではなく、しかも、表示形態によって変更するようにしても良い。
【００８１】
物品に設けられた非接触ＩＤタグをアクセスするＩＤタグシステムの種類や構成も、上記実施形態のものに限定されない。例えば、棚板単位に別個のタグリーダー・ライタを接続させているものでも良く、タグリーダー・ライタが可搬式のものであっても良い。非接触ＩＤタグも、書き込み及び読み出しの双方が可能であるものに限定されず、読み出し専用のものであっても良い。
【００８２】
本発明の技術思想が適用可能な物品一時保管場所管理システムは、物品のレンタルなどを行う個人、法人、機関に係るシステムに限定されず、図書館などのような営利を目的としない団体のシステムであっても良い。また、一時保管に供する物品も、返却物品に限定されず、倉庫などの本来の保管場所に移動される前の一時的な保管場所に置かれる入荷物品であっても良い。
【００８３】
上記実施形態では、通常保管棚に対しては、存在する物品の確認構成が存在しないものを示したが、通常保管棚に対しても存在する物品の確認構成が設けられていても良い。
【００８４】
また、上記実施形態では、一時保管棚に同一物品が保管されている期間を問わないものを示したが、その保管期間（例えば、保管を確認した定期処理回数による）をも管理し、所定の保管期間を超えた物品については、ディスプレイ１１に移動催促のメッセージ表示を行うようにしても良い。
【００８５】
さらに、上記実施形態においては、物品マスタデータベース１２ａ、貸出し中物品データベース１２ｂ及び一時保管棚データベース１２ｃが別個のデータベースとして構築されたものを示したが、これら３個又はそのうちの２個が融合されてデータベースが構築されたものであっても良い。例えば、貸出し中物品データベース１２ｂ及び一時保管棚データベース１２ｃとが１個のデータベースで構築され、物品の属性によって、貸出中か一時保管中かを区別できるようにしたものであっても良い。
【図面の簡単な説明】
【００８６】
【図１】第１の実施形態の物品一時保管場所管理システムの構成を示す説明図である。
【図２】第１の実施形態の非接触ＩＤタグの取り付け例の説明図である。
【図３】第１の実施形態の管理コンピュータの周辺装置を示すブロック図である。
【図４】第１の実施形態の各種データベースでのレコード構成を示す説明図である。
【図５】第１の実施形態の物品の貸出し動作を示すフローチャートである。
【図６】第１の実施形態の期限超過貸出し物品の返却時動作を示すフローチャートである。
【図７】第１の実施形態の一時保管棚の監視動作を示すフローチャートである。
【図８】第２の実施形態の一時保管棚の監視動作を示すフローチャートである。
【符号の説明】
【００８７】
１…物品一時保管場所管理システム、２…管理コンピュータ、３…タグリーダー・ライタ、４−１〜４−４…ループアンテナシステム、５…一時保管棚、６…物品、７…非接触ＩＤタグ、８…一時保管棚情報表示装置。
【図１】
2006131377.tif 000003
【図２】
2006131377.tif 000004
【図３】
2006131377.tif 000005
【図４】
2006131377.tif 000006
【図５】
2006131377.tif 000007
【図６】
2006131377.tif 000008
【図７】
2006131377.tif 000009
【図８】
2006131377.tif 000010